(57)【要約】【課題】宅地内の階段や床面や石垣，植木等を何ら傷付けることなく、短時間で、低コストで地中管を埋設できる地中管埋設工法を提供する。【解決手段】道路５側の本管６から宅地１内に地中管９を引き込む埋設工法であって、宅地１内に、開口面積０．２ｍ２以内の穴を縦掘りして受信坑１０を形成し、この受信坑１０に向かって本管６側の発信坑１１からジャッキ１２を介して横引き管１３を押し出し、この横引き管１３により形成された横穴内に地中管９を埋設する。【選択図】図１
2010281184.tif 000002
【特許請求の範囲】
【請求項１】
道路側の本管から宅地内に引き込む地中管の埋設工法であって、
前記宅地内に、開口面積０．２ｍ２以内の穴を縦掘りして受信坑を形成し、
該受信坑に向かって前記本管側の発信坑からジャッキを介し横引き管を押し出し、
該横引き管により形成された横穴内に地中管を埋設すること
を特徴とする地中管埋設工法。
【請求項２】
前記受信坑が、前記宅地内の地中に埋められたメーターボックスの位置に縦掘りされることを特徴とする請求項１に記載の地中管埋設工法。
【請求項３】
前記地中管が前記横引き管内に挿通されることを特徴とする請求項１または請求項２に記載の地中管埋設工法。
【請求項４】
前記ジャッキが手動による作動圧で作動されることを特徴とする請求項１または請求項２または請求項３に記載の地中管埋設工法。
【発明の詳細な説明】
【技術分野】
【０００１】
本発明は、地中に配管を良好に埋設できる地中管埋設工法に関するものである。
【背景技術】
【０００２】
従来、地中管を埋設する作業においては、例えば特許文献１に開示されているような大型の掘削装置を用いて溝や穴を掘り、その中に地中管を埋め込んで埋設工事が行われている。
【先行技術文献】
【特許文献】
【０００３】
【特許文献１】特開平１０−１６８９２６号公報
【発明の概要】
【発明が解決しようとする課題】
【０００４】
上記特許文献１に開示されているような大型の掘削装置を用いて地中管埋設作業を行う場合、例えば道路側の本管から宅地内のメーターボックスまで地中管を埋設させる作業時に、宅地内の階段やコンクリート床面などを壊して溝掘り作業を行い、その溝内に地中管を埋設し、地中管を埋設した後に、壊した階段やコンクリート床面などを元の状態に補修せねばならず、作業工数および工事費用が掛かり過ぎるという問題点があった。
【課題を解決するための手段】
【０００５】
本発明は、宅地内の階段やコンクリート床などを壊すことなく良好に地中に地中管を埋設することのできる地中管埋設工法の提供を目的とし、この目的の少なくとも一部を達成するために以下の手段を採った。
本発明は、道路側の本管から宅地内に引き込む地中管の埋設工法であって、前記宅地内に、開口面積０．２ｍ２以内の穴を縦掘りして受信坑を形成し、該受信坑に向かって前記本管側の発信坑からジャッキを介し横引き管を押し出し、該横引き管により形成された横穴内に地中管を埋設することを要旨とする。
【発明の効果】
【０００６】
本発明の地中管埋設工法では、宅地内に小さな径の穴を縦掘りして受信坑を形成し、この受信坑に向かって本管側の発信坑から横引き管を押し出して横穴を形成し、この横穴内に地中管を埋設することができ、宅地内に小さな径の受信坑を縦掘りするだけで良く、宅地内の階段やコンクリート床面等には何ら影響を与えず、これらの階段や床面を壊す必要がなく地中管を埋設することができ、従来のように、地中管の埋設後に階段や床面の修復工事を行う必要がなく、地中管埋設工事における作業工数が少なくなり、期間を短縮させて低コストで地中管を良好に埋設できるものとなる。
【０００７】
また、本発明の地中管埋設工法において、前記受信坑が、前記宅地内の地中に埋められたメーターボックスの位置に縦掘りされるものとすることもできる。
こうすれば、既に宅地内に設置されているメーターボックスのスペースを利用し、このメーターボックスのスペース内に受信坑を形成させることができ、宅地内の既設物に何ら損傷を与えることなく良好に受信坑を宅地内に形成させることができ、この受信坑に向かって本管側の発信坑から良好に横引き管を押し出すことができる。
【０００８】
また、本発明の地中管埋設工法において、前記地中管が前記横引き管内に挿通されるものとすることもできる。
こうすれば、ジャッキにより横引き管を発信坑から受信坑に向かって押し出し、受信坑まで押し出された横引き管内に地中管を挿通させて、地中管を宅地内の地中に良好に配管することができる。
【０００９】
また、本発明の地中管埋設工法において、前記ジャッキが手動による作動圧で作動されるものとすることもできる。
こうすれば、ジャッキは手動により発生される水圧あるいは油圧により作動されて良好に地中に横引き管を押し出してゆくことができ、小型の安価なジャッキで作業を行うことができ、しかも、横引き管を押し出す過程において、宅地内の地中に既存の設置物や石等が存在すると、ジャッキを操作する作業者は、横引き管が設置物や石等に当たったことを良好に感じ取ることができ、宅地内の既存の設置物等に横引き管が無理やり押し付けられてこれらを傷付けることを良好に回避することができるものとなる。
【図面の簡単な説明】
【００１０】
【図１】第１実施例の地中管埋設工事の説明図である。
【図２】第２実施例の地中管埋設工事の説明図である。
【図３】第３実施例の地中管埋設工事の説明図である。
【発明を実施するための形態】
【００１１】
次に、本発明を実施するための形態を実施例を用いて説明する。
図１は、道路５側の発信坑から、宅地内の受信坑に向かって横引き管を配管させた状態の説明図である。
一般の住宅あるいは料亭やガソリンスタンド等の建物２がある宅地１内には、道路５側に階段３が設けられ、雑排水枡７の建物２側にはメーターボックス８が地中に埋められて設置されている。
【００１２】
なお、道路５の宅地１との境界線側には側溝４が設けられており、その内側の道路５に水道，ガス，電気等の本管６が配管されている。この本管６と宅地１内のメーターボックス８を繋ぐ地中管９を宅地１内に埋設するに際し、宅地１内のメーターボックス８の設けられているスペースに受信坑１０を縦掘りする。この受信坑１０は、例えば直径２０〜２５ｃｍで、深さが４０〜５０ｃｍ程度の小さな穴であり、上面側から見た受信坑１０は、丸，四角等の形状で、その開口面積は０．２ｍ２以内となっている。
【００１３】
一方、道路５側の本管６の地中管を接続する接続部には、人が入ることのできる大きさの発信坑１１が形成され、この発信坑１１内にジャッキ１２が配設される。このジャッキ１２は、手動のポンプを備えた水圧または油圧で作動する小型のジャッキで構成されている。
このジャッキ１２の先端に横引き管１３を接続し、手動のポンプを操作してジャッキ１２を作動させて、ジャッキ１２を伸長させることで横引き管１３を道路５側から宅地１内の地中に押し出すことができ、階段３の下方の地中内に発信坑１１から受信坑１０に向かって徐々に横引き管１３を押し出してゆくことができる。
【００１４】
この横引き管１３は複数本を繋ぎ合わせて構成することができ、複数の横引き管は、ネジ式等で着脱できるもので、順次その本数を増加させて地中内に押し出される。即ち、ジャッキ１２を伸長させて地中内に１本目の横引き管１３を押し出し、この状態でジャッキ１２を元に戻し、押し出した１本目の横引き管に２本目の横引き管１３を接続し、ジャッキ１２を再度伸長させることで、２本目の横引き管１３を地中内に押し出すことができ、順次、複数の横引き管１３を繋ぎ合わせて、ジャッキ１２の伸長動作を繰り返すことで、横引き管１３は徐々に宅地１内の受信坑１０に向かって押し出され、やがては横引き管１３の先端が受信坑１０に達する。
【００１５】
なお、横引き管１３の先端には、地中内をスムーズに進むためのヤジリを取り付けておくこともでき、また、先端のヤジリには電波発信器等を取り付けておけば、横引き管１３の先端位置を常に地上から確認できるものである。
なお、ジャッキ１２は手動のポンプ等で操作されるため、横引き管１３を押し出して行く時に、宅地１内の地中に既設の設備や石等が存在して当った場合に、作業者は横引き管１３の先端が当ったことを手で感じ取ることができ、この場合は方向を少しずらし、宅地１内の別の位置に受信坑１０を形成させる等して、これらの既設埋設物等を破損させることなく良好に横引き管１３を受信坑１０に向かって押し出すことができる。
【００１６】
横引き管１３が受信坑１０に達した状態で、複数の横引き管１３がネジ式で連結されたものであるような場合には、この横引き管１３内にメーターボックス８側から地中管（パイプ等）９を挿通させ、地中管９を横引き管１３内を通して発信坑１１側に引き込み、地中管９の先端の接続金具９ａを本管６の接続部位に接続することができるものである。
なお、横引き管１３は、ジャッキ１２を逆進させる等して順次発信坑１１側に抜き取ることで、横引き管１３により形成された地中の横穴内に地中管９を良好に埋設することができ、地中管９により本管６とメーターボックス８間を繋ぐことができるものである。
【００１７】
なお、地中管９が大径のものであるような場合には、横引き管１３も大径のものである必要があり、この場合は、ジャッキ１２を介して小径の横引き管１３を宅地１の地中内に押し出して小径の横穴を予め形成させておき、その後に大径の横引き管１３に変えて、小径の横穴内に大径の横引き管１３をジャッキ１２を介して押し出して大径の横穴を形成させることができ、横引き管１３による横穴の形成作業は、管径の異なる横引き管１３を用いて２回以上行われる場合がある。
また、横引き管１３を受信坑１０まで押し出した後に、横引き管１３の先端に地中管９の接続金具９ａを接続して、この状態でジャッキ１２を逆進させて横引き管１３を発信坑１１側へ引き戻し、これにより地中管９を横穴内に入れて発信坑１１側に引き込むこともできる。
【００１８】
このように宅地１側には小径の受信坑１０を縦掘りして形成させておき、この受信坑１０に向かって発信坑１１から地中に横引き管１３を押し出すものであるため、階段３は何ら損傷を受けることはなく、階段３はそのままの状態に保持されるため、地中管９の埋設工事後に階段３を何ら補修する必要はなく、コストを低減させて短期間で地中管９の埋設工事を完了することができるものである。
【００１９】
次に、図２は第２実施例を示し、この図２では、宅地１内のメーターボックス８に至る床面が、大理石あるいはレンガあるいはコンクリートあるいはインターロッキングや敷石により仕上げられた仕上げ床面１４となっている場合であり、仕上げ床面１４を何ら傷付けることなく、この仕上げ床面１４の下の地中内に良好に横引き管１３を押し出して施工するものである。
【００２０】
即ち、宅地１内の既存のメーターボックス８の位置に小径の受信坑１０を縦掘りして形成させ、この受信坑１０に向かって、道路５側の本管６が配管された発信坑１１から、手動のジャッキ１２を介して順次複数の横引き管１３を繋ぎ合わせて水平に押し出し、横引き管１３を発信坑１１から受信坑１０に到達するまで押し出して、受信坑１０に到達した状態で、接続金具９ａとともに地中管９を横引き管１３内に挿通させて、横引き管１３内を通し地中管９を発信坑１１側に引き込み、地中管９の先端金具９ａを本管６の接続部位に接続して、本管６とメーターボックス８間を地中管９により繋ぐことができ、横引き管１３は発信坑１１側へ引き戻すことで、良好に仕上げ床面１４の下方の地中内に地中管９を埋設することができるものであり、本例においても、大理石やレンガやコンクリートで形成された仕上げ床面１４には何ら損傷を与えることなく、地中管９の埋設工事を完了することができるものである。
【００２１】
次に、図３は第３実施例を示すものであり、図３では、宅地１の道路５側に石垣１５や植木１６が配置され、その宅地１の石垣１５の内側に、大理石やレンガあるいはコンクリート等で形成した仕上げ床面１４が存在している場合である。
宅地１内には既存のメーターボックス８が設けられており、このメーターボックス８のスペースを利用して、この位置に、小径の受信坑１０を縦掘りして形成させておき、道路５側の本管６の配管されている発信坑１１側から、ジャッキ１２を介して順次横引き管１３を略水平に宅地１の地中内に押し出して、横引き管１３を受信坑１０に達するように押し出し、横引き管１３の先端にメーターボックス８側から地中管９を挿通させて、地中管９を横引き管１３内を通して発信坑１１内に引き込み、地中管９を本管６に接続して、地中管９により本管６とメーターボックス８間を繋ぐことができるものであり、本例においても、石垣１５，植木１６，仕上げ床面１４には何ら損傷を与えることなく、宅地１の地中内に横引き管１３を押し出して良好に地中管９の埋設工事を行うことができるものであり、地中管９の埋設工事が短時間で、かつ低コストで行えるものである。
【符号の説明】
【００２２】
１  宅地
２  建物
３  階段
４  側溝
５  道路
６  本管
８  メーターボックス
９  地中管
９ａ  接続金具
１０  受信坑
１１  発信坑
１２  ジャッキ
１３  横引き管
１４  仕上げ床面
１５  石垣
１６  植木
【図１】
2010281184.tif 000003
【図２】
2010281184.tif 000004
【図３】
2010281184.tif 000005